(57)【特許請求の範囲】
【請求項１】
ばね部材を含むランプボディと、
ランプソケットと機械的に係合するよう構成される外面及びラチェットホイールを含むランプ口金とを有するランプであって、前記ばね部材が、盗難防止状態においては、前記ランプボディ及び前記ランプ口金が互いに対して一方向にだけ回転することを可能にし、取り外し状態においては、前記ランプボディ及び前記ランプ口金が互いに対して回転することを防止するよう、前記ラチェットホイールと機械的に係合するよう構成されるランプ。
【請求項２】
前記ラチェットホイールが、各々が垂直側面及び傾斜側面を持つ複数の傾斜歯を有し、前記ラチェットホイールが、前記ランプ口金と互いに固定される請求項１に記載のランプ。
【請求項３】
前記ばね部材が、
前記ランプボディ内に位置するばねと、 
前記ランプボディの外面に取り付けられ、前記ランプボディを越えて延在する部分を含む可動ボルトであって、前記可動ボルトが、前記ばねの近くへ又は前記ばね内に挿入されるよう構成される可動ボルトと、
前記ラチェットホイールと係合する細長い構造物であって、前記ばね内に位置する上部及び前記ばねの下に位置する下部を含む細長い構造物とを有し、前記取り外し状態においては、前記細長い構造物が、軸方向の動きを妨げられるように、前記可動ボルトが、前記ばねの近くへ又は前記ばね内に挿入される請求項１又は２に記載のランプ。
【請求項４】
前記細長い構造物の前記上部の直径が、前記ばねの内径より細く、前記細長い構造物の前記下部の直径が、前記ばねの外径より大きい請求項３に記載のランプ。
【請求項５】
前記ばね部材を覆う保護スリーブを更に有する請求項３に記載のランプ。
【発明の詳細な説明】
【技術分野】
【０００１】
本発明は、広くは、照明の分野に関し、詳細には、盗難防止ランプに関する。
【背景技術】
【０００２】
照明分野において、大きなスタジアム又は高級ホテルに取り付けられるランプのようなハイエンドのランプは、非常に高価であり得ることが知られている。従って、これらの高価なランプは、盗まれるリスクに直面する。一般的な盗難防止ＣＦＬ構造は、非常に複雑である。なぜなら、ＣＦＬは、この複雑な構造に、より大きな空間及びより単純な電気回路を供給し得るからである。例えば、環状ＣＦＬは、盗難防止ロックを外すために、十分に太く、十分に長い針を、内部に供給される。これらの盗難防止ＣＦＬ構造の別の不利な点は、押し下げられており、ランプが或る方向に回転されているときに上がり、鍵（長く、太い針）なしでは取り除かれることができない、それらの弾性シートにある。更に、弾性シートは、容易に損耗され、その弾性を失い、二度と動作しない。それ故、本当のユーザが、ランプを回転させることによってランプホルダからＣＦＬを取り外そうとするとき、ランプは、取り除かれることができず、繰り返しの円運動しかすることができない。
【発明の概要】
【発明が解決しようとする課題】
【０００３】
本発明の或る目的は、単純な構造を持ち、ランプが、泥棒ではなく、本当のユーザによって、器具から取り外される必要があるときに、失敗することが少ない盗難防止ランプを提供することである。
【課題を解決するための手段】
【０００４】
本発明によれば、前記盗難防止ランプは、ランプ口金及びランプボディを含む。前記ランプボディは、ばね部材を含む。前記ランプ口金は、ランプソケットと機械的に係合するよう構成される外面及びラチェットホイールを含む。前記ばね部材は、前記ランプボディ及び前記ランプ口金が互いに対して一方向にだけ回転することを可能にするよう、前記ラチェットホイールと機械的に係合するよう構成され、前記ばね部材は、軸方向の動きを妨げられ得るようにして、設けられる。前記ランプを時計回りに回転させる場合、前記ランプは、ランプホルダにねじ込まれ得る。前記ランプを反時計回りに回転させる場合、前記ランプは、前記ラチェットホイール機構のまわりの繰り返しの円運動しかすることができず、それ故、取り除かれることができない。
【０００５】
本発明の幾つかの実施例においては、本当のユーザが、前記ランプを取り除く必要がある場合、前記ばね部材内のボルトが、前記ばね部材内の針状構造であって、前記ラチェットホイール機構と係合される針状構造をブロックするよう調節されることができ、故に、前記ランプは、安全な方法で取り除かれることができる。
ａ．本発明の実施例のいずれも、以下の利点の１つ以上を実現するころができる。前記ラチェットホイール機構及び前記ばね部材の組み合わせは、使用のための信頼性が高く、本当のユーザが安全な方法でランプを取り除く必要がある場合のランプの取り除きの失敗を防止する。
ｂ．前記ラチェットホイール及び前記ばね部材は、両方とも、単純な構造を持つ。これは、大きな内部空間を供給することができる従来のランプにとって良いだけでなく、複雑な電気回路を持つかもしれず、それ故、より小さい内部空間を持つかもしれないＬＥＤランプにとっても良い。
【図面の簡単な説明】
【０００６】
【図１】本発明の幾つかの実施例によるランプの内部構造を図示する概略図である。
【図２】本発明の幾つかの実施例のばね部材の内部構造を図示する概略図である。
【図３】本発明の幾つかの実施例のラチェットホイール機構の内部構造を図示する概略図である。
【発明を実施するための形態】
【０００７】
以下、本発明の実施例が示されている添付の図面を参照して、本発明の実施例を、より詳細に記載する。しかしながら、本発明は、多くの異なる形態で実施されることができ、本願明細書に記載されている実施例に限定されるものとして解釈されるべきではない。同様の参照符号は、全体を通して、同様の要素を指す。
【０００８】
図１は、本発明の幾つかの実施例によるランプ１００の内部構造を図示する概略図である。図１が示しているように、この実施例は、複雑なＬＥＤランプにおいても、その中で、本発明の単純な構造が実施されることができることを示すために、ＬＥＤランプ１００を例にとっている。ＬＥＤランプ１００は、ランプボディ１１０（例えば、発光部及び／又はドライバ電子回路を含む部分）と、ランプキャップ１２０（例えば、器具のソケットと機械的に係合するよう構成される口金）とを含む。ラチェットホイール機構１３０は、例えば、ランプボディ１１０及びランプキャップ１２０の接合部に、設けられる。幾つかの実施例においては、ラチェットホイール機構１３０は、ランプキャップ１２０内に、及び／又はランプボディ１１０内に、配置され得る。ラチェットホイール機構１３０は、ランプキャップ１２０に取り付けられ得る。ばね部材１４０は、ラチェットホイール機構の上に設けられる。幾つかの実施例においては、ランプ１００は、２つ以上のばね部材１４０を含み得る。
【０００９】
図２は、本発明の幾つかの実施例のばね部材１４０の内部構造を図示する概略図である。図３は、本発明の幾つかの実施例のラチェットホイール機構１３０の内部構造を図示する概略図である。幾つかの実施例においては、ラチェットホイール機構１３０は、複数の傾斜歯１５０を備えるラチェットホイールである。傾斜歯１５０の各々は、垂直面と、傾斜面とを持つ。幾つかの実施例においては、傾斜歯１５０のサブセットしか、垂直面を持たない。ばね部材１４０は、ランプボディ１１０内に配置されるばね１６０と、ばね１６０内に、又はばね１６０の近くに位置することが可能なボルト１７０と、ばね１６０によって包まれている上部及びばねの下に位置する下部を備える針状構造１８０とを含む。ボルト１７０は、外部からばね１６０に挿入され得る。幾つかの実施例においては、ボルト１７０の少なくとも一部が、ランプボディ１１０の外面に取り付けられる。ばね１６０は、針状構造１８０と弾性的に係合するように、針状構造１８０の上部に位置し得る。例えば、針状構造１８０の上部の直径は、ばねの内径より細くてもよい。針状構造１８０の下部の直径は、ばねの外径より大きくてもよい。一般に、ばね状構造は、例えば、円柱などの、如何なる細長い構造も含み得る。保護スリーブ２００が、ランプボディ１１０の内面に取り付けられてもよく、ばね部材１４０を覆ってもよい。
【００１０】
針状構造１８０の下部は、ラチェットホイール１３０と係合する形状に構成されてもよい。例えば、針状構造１８０の下部は、傾斜歯１５０の垂直面と係合する垂直面を含み得る。針状構造１８０の下部は、傾斜歯１５０の傾斜面と係合する傾斜面も含み得る。
【００１１】
幾つかの実施例においては、ランプボディ１１０及びランプキャップ１２０は、ばね部材１４０に対して平行な方向において、互いに固定される（例えば、ランプボディ１１０及びランプキャップ１２０は、軸方向に自由にばらばらになることはできないが、互いに対して自由に回転可能であり得る）。ランプ１００が、ランプボディ１１０を見下ろす視点から時計回りに回転される場合、傾斜歯１５０の垂直面は、ランプボディ１１０及びランプキャップ１２０が互いに対して回転するのを防止することができる。従って、ランプボディ１１０の時計回りの回転は、ランプキャップ１２０の同様の時計回りの回転を強制し、それによって、ランプキャップ１２０が、互換性のあるサイズのランプソケットと機械的に係合することを可能にする。
【００１２】
他方で、ランプ１００が反時計回りに回転される場合、針状構造１８０は、任意の傾斜歯１５０の傾斜面と係合することができ、これは、針状構造１８０に上向きの力を及ぼし、針状構造１８０を、傾斜歯１５０の上で、上方へ押し上げる。ばね１６０は、針状構造１８０と弾性的に接触することができ、ブロック構造２１０が、ランプボディ１１０の内面又は保護スリーブ２００の内面に配置され得ることから、ばねは、ブロック構造２１０によってブロックされ、それ故、針状構造１８０を別の隣接する歯１５０に押し込む逆向きの力を発生させる。幾つかの実施例におけるブロック構造２１０は、保護スリーブ２００の内面に配置される。針状構造１８０が、傾斜歯１５０の上を、上方へ動くことを可能にすることによって、ランプボディ１１０及びランプキャップ１２０は、互いに対して回転するだろう。従って、反時計回りの方向のランプ１００の回転は、ランプキャップ１２０の如何なる動きももたらさず、それ故、例えば泥棒による器具からのランプ１００の取り外しは、防止され得る。
【００１３】
幾つかの実施例においては、ランプに損傷を与えずに、安全な方法で、ランプボディ１１０が、ランプソケットから取り外されることが可能にされ得る。ランプボディ１１０をソケットから取り外し可能にさせることによって、ランプは、修理及び／又は交換されることができる。ランプボディ１１０は、ランプボディ１１０の外面に配置される穴を含み得る。ボルト１７０は、穴から、ランプボディ１１０の内部空間内へ、例えば、ばね１６０内へ延在し得る。盗難防止状態においては、ボルト１７０は、針状構造１８０が傾斜歯１５０の傾斜面によって上方へ押し上げられる場合でも、ボルト１７０が針状構造１８０と接触しないだろうように、針状構造１８０から最低限の距離離れたところに、位置する。しかしながら、ユーザが、ランプホルダからランプを取り外す（例えば、回して外す）必要がある場合には、ボルト１７０は、内方へ、針状構造１８０がラチェットホイール１３０の傾斜面によって上方へ押し上げられるのを防止するのに十分な距離、動かされる（例えば、回転される且つ／又は押される）ことができる。取り外し状態においては、ボルト１７０の抵抗が、針状構造１８０が傾斜歯１５０の上を移動すること許容しないだろう。それ故、取り外し状態にある間に、ランプ１００が反時計回りに回転される場合、ボルト１７０によって供給される抵抗が、ランプボディ１１０及びランプキャップ１２０が互いに対して回転することを防止することができる。従って、取り外し状態におけるランプボディ１１０の反時計回りの回転は、ランプキャップ１２０の同様の反時計回りの回転を強制し、それによって、ランプキャップ１２０をランプソケットから機械的に取り外すことを可能にするだろう。
【００１４】
上記の実施例は、本発明を限定するものではなく、説明するものであって、当業者は、添付の請求項の範囲から逸脱せずに多くの別の実施例を設計することができるであろうことに注意されたい。請求項において、括弧内に配置されるいかなる参照符号も、請求項を限定するものとして解釈されるべきではない。「有する」という用語は、請求項に挙げられている要素以外の要素の存在を除外しない。要素の単数形表記は、複数のこのような要素の存在を除外しない。
【図１】
0006045584.tif 000002
【図２】
0006045584.tif 000003
【図３】
0006045584.tif 000004